(57)【要約】【課題】  防水機能とマイク機能を有する電子機器の筺体において、より高い耐衝撃性能を提供すること。【解決手段】  筐体の内部にマイクが設けられた電子機器の筺体であって、  前記筺体の表面に設けられた凹部と、  前記凹部内に設けられ、前記マイクの音孔である開口部と、  前記開口部の周囲を囲い、前記凹部内に立設した第一のリブからなり、  前記第一のリブは前記筺体の表面から突出しないことを特徴とする電子機器の筺体。【選択図】  図３
2018037499.tif 000002
【特許請求の範囲】
【請求項１】
筐体の内部にマイクが設けられた電子機器の筺体であって、
前記筺体の表面に設けられた凹部と、
前記凹部内に設けられ、前記マイクの音孔である開口部と、
前記開口部の周囲を囲い、前記凹部内に立設した第一のリブからなり、
前記第一のリブは前記筺体の表面から突出しないことを特徴とする電子機器の筺体。
【請求項２】
前記第一のリブは略円環形状であることを特徴とする請求項１記載の電子機器の筺体。
【請求項３】
前記第一のリブは前記開口部から離間したことを特徴とする請求項１〜２のいずれか１項に記載の電子機器の筺体。
【請求項４】
前記筺体の肉厚は、前記凹部の肉厚よりも厚いことを特徴とする請求項１〜３のいずれか１項に記載の電子機器の筺体。
【請求項５】
前記第一のリブにはスリットが設けられたことを特徴とする請求項１〜４のいずれか１項に記載の電子機器の筺体。
【請求項６】
前記電子機器は、ドームカバーと、
前記ドームカバー内に配置された撮像手段を有する撮像装置であって、
前記スリットは前記開口部を挟んで、前記ドームカバーの反対側に配置されたことを特徴とする請求項５に記載の筺体を有する撮像装置。
【請求項７】
前記凹部内かつ前記第一のリブの外側に立設し、前記筺体の表面から突出しない第二のリブを有し、
前記スリットは、前記第二のリブと前記開口部の間に配置され、
前記第二のリブと前記スリットは複数設けられることを特徴とする請求項５に記載の電子機器の筺体および、請求項６に記載の筐体を有する撮像装置。
【発明の詳細な説明】
【技術分野】
【０００１】
本発明は、屋外に設置されて使用される電子機器の筺体に関し、より詳細には、耐衝撃性を向上させた屋外用監視カメラの筺体の構造に関するものである。
【背景技術】
【０００２】
従来、屋外に設置されて使用される監視カメラは、風雨にさらされて使用されるため、防水性能が備えられている。また一部の監視カメラには不審者などの破壊行為に耐える耐衝撃性能が備えられている。さらに別の一部の監視カメラには、周囲の環境音を集音するマイクが備えられているものもある。マイクはカメラの内部に配置され、マイクの前には音を通すための音孔が設けられている。  屋外に固定され、マイクを内蔵した監視カメラにおいては、降雨などによってカメラの筺体表面に雨水が付着し、その雨水がマイクの音孔を塞ぐことに起因して、マイクで集音した環境音の音質が低下するという課題があった。
【０００３】
上記のような課題を解決するべく、特許文献１には、音孔部の周囲にリブが形成された電子機器の筺体構造について開示されている。
【先行技術文献】
【特許文献】
【０００４】
【特許文献１】実用新案登録第２５３８０３７号公報
【発明の概要】
【発明が解決しようとする課題】
【０００５】
しかしながら、上述の特許文献１に代表される電子機器の筺体構造においては、リブが筺体から突出しているため、不審者からの打撃の対象になりやすく、打撃を何度も受けると特定の箇所に負荷が集中し、内部構造が損傷しやすいという課題があった。
【課題を解決するための手段】
【０００６】
筐体の内部にマイクが設けられた電子機器の筺体であって、
前記筺体の表面に設けられた凹部と、
前記凹部内に設けられ、前記マイクの音孔である開口部と、
前記開口部の周囲を囲い、前記凹部内に立設した第一のリブからなり、
前記第一のリブは前記筺体の表面から突出しないことを特徴とする電子機器の筺体。
【発明の効果】
【０００７】
防水機能とマイク機能を有する電子機器の筺体構造において、より高い耐衝撃性能を提供することができる。
【図面の簡単な説明】
【０００８】
【図１】本発明の実施形態におけるドーム型監視カメラの斜視図と拡大図
【図２】本発明の実施形態におけるドーム型監視カメラの分解斜視図
【図３】本発明の実施形態におけるドーム型監視カメラの断面図と拡大図
【図４】本発明の第一の変形例におけるドーム型監視カメラの斜視図と拡大図
【図５】本発明の第二の変形例におけるドーム型監視カメラの斜視図と拡大図
【発明を実施するための形態】
【０００９】
以下に、本発明の好ましい実施形態を、添付の図面、図１〜５に基づいて詳細に説明する。図１は本実施形態におけるドーム型監視カメラ１０の斜視図であり、図１中の右図はＡ部の拡大図である。
【００１０】
ドームカバー１０１は、透明または半透明のプラスチック製のカバー部材である。上カバー１０２と下カバー１０３は、金属製のカバー部材であり、たとえばアルミダイカスト製である。ドームカバー１０１と上カバー１０２と下カバー１０３は、監視カメラの筺体である。上カバー１０２には、マイク用の音孔１５４が空いている。このマイク周辺の構造の詳細については後述する。
【００１１】
図２は本実施形態におけるドーム型監視カメラ１０の分解斜視図である。図３は本実施形態におけるドーム型監視カメラ１０の断面図と拡大図である。
【００１２】
ドームホルダー１０６は、上カバー１０２に対してねじなどで固定される。ドームホルダー１０６と上カバー１０２の間には、ドームカバー１０１と防水ゴム１０５が配置される。防水ゴム１０５は、ドームカバー１０１と上カバー１０２の間の防水部材である。下カバー１０３には、ねじ１０７によって上カバー１０２が取り付けられる。上カバー１０２と下カバー１０３の間には、防水ゴム１０４が配置される。防水ゴム１０４は、上カバー１０２と下カバー１０３の間の防水部材である。
【００１３】
下カバー１０３は、メインベース１１１やメイン電気基板１１３を、図示しないボスなどにより支持し、そして図示しないビスなどによって固定する。さらに、下カバー１０３の底面部には、天井や壁などの設置場所に固定するための図示しない取付構造が備えられている。カバー１１２はメインベース１１１に図示しないビスなどによって固定される。メインベース１１１とカバー１１２の間には、マイク部１５０が形成される。
【００１４】
メインベース１１１は、パン回転ユニット１２０をパン回転可能に保持する。パン回転ユニット１２０は、カメラユニット１３０をチルト回転可能に保持する。すなわちカメラユニット１３０は、パン回転可能かつチルト回転可能である。カメラユニット１３０は、不図示のレンズや不図示の撮像素子などからなり、撮影対象を撮影して映像信号を生成するものである。カメラユニット１３０は、ドームカバー内に配置され、本発明では撮像手段に相当する。このカメラユニット１３０は不図示の伝送ケーブルによってメイン電気基板１１３と接続されており、このカメラユニット１３０によって生成された映像信号は伝送ケーブルを介してメイン電気基板１１３に伝送される。
【００１５】
メイン電気基板１１３は、伝送された映像信号を処理し、処理した映像信号に対して圧縮符号化処理を施す。さらに、メイン電気基板１１３は、圧縮符号化処理を施した映像信号を、たとえば、ネットワークを介して外部のカメラ制御装置へ配信する。なお、本実施形態におけるメイン電気基板１１３は、１枚の基板で構成されているものとするが、これに限るものではない。たとえば、２枚以上の基板でメイン電気基板１１３を構成するようにしても良い。
【００１６】
マイク１５３は、カメラ周囲の環境音を集音する。マイク１５３はマイクホルダー１５２によって保持されている。マイクホルダー１５２は、ゴムなどの弾性部材によって構成される。弾性部材で構成することで、振動がマイク１５３に伝わることを低減している。マイク１５３を保持したマイクホルダー１５２は、メインベース１１１とカバー１１２の間に配置されている。マイク１５３は不図示の伝送ケーブルによってメイン電気基板１１３と接続されており、マイク１５３によって生成された音声信号は伝送ケーブルを介してメイン電気基板１１３に伝送される。
【００１７】
上カバー１０１のマイク１５３付近には、音孔１５４が設けられている。音孔１５４は上カバー１０２に空いた開口部である。シート１５１は不図示の両面テープなどで、上カバー１０２に張り付けられている。シート１５１は多孔質膜またはゴムの薄膜であり、水の浸入を防ぎ、音を通す。シート１５１は、音孔１５４から水の浸入を塞ぐように貼られている。マイクホルダー１５２は、シート１５１が剥がれないように押圧している。上カバー１０２には音孔１５４が空き、シート１５１が音を通すため、マイク１５３はカメラの周囲の音を集音することができる。
【００１８】
凹部１５５は、上カバー１０２に設けられた凹形状である。リブ１６１は、凹部１５５の内側に設けられ、筐体の外部に向かって立設されたリブ形状である。リブ１６１は、音孔１５４の周囲を囲うように形成される。リブ１６１は、第一のリブに相当する。リブ１６１は、上カバー１０２と一体成型される。リブ１６１は、上カバー１０２の凹部１５５近傍の筺体表面Ｓから突出していない。
【００１９】
ドーム型監視カメラ１０は、壁面に設置されて使用される。カメラが屋外の壁面に設置されると、降雨時には雨水が筺体に付着することがある。筺体表面に付着した雨水は、筺体表面に沿って図１中の一点鎖線の経路で流れ落ちる。マイク部１５０上方に付着し、凹部１５５の内側に流れてきた雨水は、音孔１５４のまわりに来ると、リブ１６１によって流れを規制される。筺体表面を流れてきた雨水は音孔１５４を塞がないため、リブ１６１は降雨時の音質劣化を低減する。
【００２０】
またリブ１６１は筺体表面Ｓから突出していないため、不審者などに叩かれた場合でも、打撃の対象となりにくい。リブが突出していると何度も叩かれた場合、同じ個所に負荷が集中するが、本発明の構成の場合、マイク部１５０周辺に負荷が集中しないので、カメラの耐衝撃性を向上することができる。
【００２１】
リブ１６１は、略円環形状に形成される。略環状形状に形成されると、雨水がリブ１６１の周りを流れやすくなる。また略環状形状に形成されると、筺体に付着した雨水が音孔１５４の中に入りにくくなるため、リブ１６１の環状形状は、降雨時の音質劣化の低減に寄与する。
【００２２】
リブ１６１は、音孔１５４から離間して形成される。リブ１６１の内壁を構成する面と音孔１５４を構成する面は、別々の面である。リブ１６１の内壁を構成する面と音孔１５４を構成する面の間には、凹部の底面が形成される。リブ１６１が音孔１５４から離間すると、音孔１５４の長さが短くなる。音孔１５４の長さが短くなると、音孔１５４内での音の反響が減り、音質劣化の低減に寄与する。
【００２３】
上カバー１０２の表面と上カバー内側壁面との肉厚はＴ１である。凹部１５５の凹部内底面と上カバー内側壁面との肉厚はＴ２である。上カバー１０１の肉厚Ｔ１と凹部の肉厚Ｔ２は、Ｔ１＞Ｔ２となるように構成される。Ｔ１＞Ｔ２とすることで、音孔１５４の長さが短くなり、音質劣化の低減に寄与する。
【００２４】
続いて図４を用いて、本発明の第一の変形例について述べる。ここで、図４は本発明の第一の変形例におけるドーム型監視カメラ１０の斜視図であり、図４の右図はＢ部の拡大図である。なお、本変形例では、上述した実施例に対応するものと同一の要素には同一符合を付し、その説明を省略する。
【００２５】
リブ２６１は、凹部内に設けられ、筐体の外部に向かって立設されたリブ形状である。リブ２６１は、第一のリブに相当する。リブ２６１は、上カバー２０２の筺体表面Ｓから突出していない。筺体表面に付着した雨水は、筺体表面に沿って図４中の一点鎖線の経路で流れ落ちる。マイク部１５０上方に付着し凹部内に流れてきた雨水は、音孔２５４のまわりに来ると、リブ２６１によって流れを規制される。筺体表面を流れてきた雨水は音孔２５４を塞がないため、リブ２６１は、降雨時の音質劣化の低減に寄与する。
【００２６】
筺体表面に付着した雨水は、リブ２６１によって流れを規制されるため、音孔２５４を塞ぎにくい構造になっている。しかし雨水が直接、リブ２６１の内部に付着すると、音孔２５４を塞いでしまうことがある。リブ２６１にはスリット２６２が形成されている。リブ２６１の内側または音孔２５４の内部に入った雨水は、図４中の点線の経路でスリット２６２から排水される。雨水はスリット２６２から排水されるので、スリット２６２は降雨時の音質劣化の低減に寄与する。
【００２７】
監視カメラは壁面であれば高いところに設置されて、監視対象を見下ろすように使用される。撮影方向の音を効率的に集音するために、マイク部１５０はドームカバー１０１の下側に配置されている。
【００２８】
マイク部１５０は、ドームカバー１０１の下側に配置されるので、監視対象側の音を集音しやすくなる。スリット２６２は、音孔２５４を挟んで、ドームカバー１０１の反対側に配置される。ドームカバー１０１と対向する方向にスリット２６２を設けることで、通常使用時の音質改善と降雨時の音質改善を両立することができる。
【００２９】
続いて、図５を用いて、本発明の第二の変形例について述べる。ここで、図５は本発明の第二の変形例におけるドーム型監視カメラ１０の斜視図であり、図５の右図はＣ部の拡大図である。なお、本変形例では、上述した実施例に対応するものと同一の要素には同一符合を付し、その説明を省略する。
【００３０】
第一のリブ３６１の外側には、第二のリブ３６２が設けられる。第一のリブ３６１と第二のリブ３６２は、凹部内に設けられ、筐体の外部に向かって立設されたリブ形状である。第一のリブ３６１と第二のリブ３６２は、上カバー３０２の筺体表面Ｓから突出していない。
【００３１】
第一のリブ３６１には、スリット３６３が設けられている。スリット３６３は、第二のリブ３６２と音孔３５４の間に配置される。スリット３６３と第二のリブ３６２の組み合わせは、複数設けられる。本実施例においては２組からなり、音孔３５４を挟んで、略対向に配置される。
【００３２】
第二のリブ３６２は、雨水がスリット３６３から第一のリブ３６１内への浸入を規制する。筺体表面に付着した雨水は、筺体表面に沿って図５中の一点鎖線の経路で流れ落ちる。マイク部１５０上方に付着し凹部内に流れてきた雨水は、音孔３５４のまわりに来ると、第一のリブ３６１と第二のリブ３６２によって流れを規制される。第一のリブ３６１と第二のリブ３６２は、筺体表面を流れてきた雨水が、音孔３５４を塞ぎにくいように構成されるため、降雨時の音質劣化の低減に寄与する。雨水が直接、第一のリブ３６１の内部に付着すると、音孔３５４を塞いでしまうことがある。第一のリブ３６１にはスリット３６３が形成される。スリット３６３が形成されるので、第一のリブ３６１の内側に入った雨水は、図５中の点線の経路で排水される。雨水は排水されるので、スリット３６３は音質劣化の低減に寄与する。
【００３３】
第一のリブ３６１と第二のリブ３６２の二重構造とすることで、筺体の表面を流れてきた雨水の規制と、第一のリブ３６１の内側に直接付着した雨水の排水を両立することができる。また本構成により、カメラの設置方向が上下逆転しても、雨水の規制と排水をすることができる。そのため本発明は、カメラの設置方向によらず、降雨時の音質改善を両立することができる。
【００３４】
以上、本発明の好ましい実施形態について説明したが、本発明はこの実施形態にのみ限定されるものではなく、その要旨の範囲内で種々の変形及び変更が可能である。
【符号の説明】
【００３５】
１０１  ドームカバー
１０２  上カバー
１０３  下カバー
１５３  マイク
１５４  音孔
１５５  凹部
１６１  リブ
【図１】
2018037499.tif 000003
【図２】
2018037499.tif 000004
【図３】
2018037499.tif 000005
【図４】
2018037499.tif 000006
【図５】
2018037499.tif 000007